(57)【要約】【課題】壁面取付けの際の突出寸法が小で、便座シートの取り出しが容易で、取り出した便座シートを便座の上にセットしやすい便座シート供給器を提供する。【解決手段】壁面に一面側を接した状態で固定できるように形成された偏平構造のベース体２１と、ベース体２１の反対面側上部に設けられ、その反対面から離間する程位置が高くなるように延びた傾斜フック２６と、傾斜フック２６を通過させる穴１１が一端側に形成され、ベース体２１の反対面に一面側を対向させ、重なり合った状態で傾斜フック２６に吊支される便座シート１０と、ベース体２２に支持され、傾斜フック２６に吊支された便座シートの少なくとも下部を除いた部分を覆うカバー３０と、ベース体２１の反対面側で、傾斜フック２６に吊支された便座シート１０の下部と重なり合う位置に突設された突出部２７とを備えている。【選択図】図２
2007143944.tif 000002
【特許請求の範囲】
【請求項１】
壁面に一面側を接した状態で固定できるように形成された偏平構造のベース体（２１、２１′、２１″）と、
前記ベース体の反対面側上部に設けられ、該反対面から離間する程位置が高くなるように延びた傾斜フック（２６）と、
前記傾斜フックを通過させる穴（１１）が一端側に形成され、前記ベース体の前記反対面に一面側を対向させ、重なり合った状態で前記傾斜フックに吊支される便座シート（１０）と、
前記ベース体に支持され、前記傾斜フックに吊支された便座シートの少なくとも下部を除いた部分を覆うカバー（３０、３０′）と、
前記ベース体の前記反対面側で、前記傾斜フックに吊支された便座シートの下部と重なり合う位置に突設された突出部（２７）とを備えた便座シート供給器。
【発明の詳細な説明】
【技術分野】
【０００１】
本発明は、例えば公衆トイレや新幹線等の旅客車両用の様式トイレにおいて使用される所謂使い捨て型の便座シートを一枚ずつ取り出すことができる状態で収納する便座シート供給器において、場所をとらず、便座シートの取り出しや便座へのセットを容易にするための技術に関する。
【背景技術】
【０００２】
不特定多数の人が頻繁に利用する洋式トイレでは、衛生上の観点から利用者がキャビネットに収納されている便座シートを取り出して便座の上に置き、用を足した後はその便座シートをトイレに流すといった使い捨て型の便座シートが用いられている。
【０００３】
この便座シートを一枚ずつ取り出せる状態で収容する便座シート供給器として、例えば特許文献１には、円弧状に湾曲したフロントパネルとリアパネルとの間に形成された湾曲空間にフックで支持された便座シートの束を収容し、その束から便座シートを１枚ずつ引き出すことができる構造のものが開示されている。
【０００４】
【特許文献１】登録実用新案第３０７５２３０号公報
【発明の開示】
【発明が解決しようとする課題】
【０００５】
しかしながら、上記特許文献１の便座シート供給器では、壁面に取り付けたとき、湾曲したキャビネットが壁面から大きく突出するため、旅客車両用のトイレ等のような狭い空間をさらに狭めることになり、車両が揺れたときに体にぶつかる等の危険もあった。
【０００６】
また、フックに支持された便座シートの束から１枚だけ便座シートを取り出す作業が面倒であるという問題もあった。
【０００７】
さらに、便座シートが湾曲した状態で収容されているため、引き出した便座シートにその曲り癖がついてしまい、便座の上に正しく載せることができず、非常に使いにくいという問題もあった。
【０００８】
本発明は、上記問題を解決し、壁面取付けの際の突出寸法が小で、便座シートの取り出しが容易で、さらに、取り出した便座シートを便座の上にセットしやすい便座シート供給器を提供することを目的としている。
【課題を解決するための手段】
【０００９】
前記目的を達成するために、本発明の便座シート供給器は、
壁面に一面側を接した状態で固定できるように形成された偏平構造のベース体（２１、２１′、２１″）と、
前記ベース体の反対面側上部に設けられ、該反対面から離間する程位置が高くなるように延びた傾斜フック（２６）と、
前記傾斜フックを通過させる穴（１１）が一端側に形成され、前記ベース体の前記反対面に一面側を対向させ、重なり合った状態で前記傾斜フックに吊支される便座シート（１０）と、
前記ベース体に支持され、前記傾斜フックに吊支された便座シートの少なくとも下部を除いた部分を覆うカバー（３０、３０′）と、
前記ベース体の前記反対面側で、前記傾斜フックに吊支された便座シートの下部と重なり合う位置に突設された突出部（２７）とを備えている。
【発明の効果】
【００１０】
上記のように本発明の便座シート供給器は、壁面に偏平構造のベース体の一面側が接する状態で取り付けられ、ベース体の上部に設けられた傾斜フックに便座シートが吊支されているので、便座シートは重なりあった状態であってもその高さ位置が少しずつずれた状態となってシート間の静電気による吸着が抑制され、カバーに覆われていない便座シートの下部を突出部に押しつけるようにしてつまむことで表面側の１枚の便座シートのみを奥側の便座シートから離すことができ、便座シートの一枚ずつの取り出しが極めて容易に行え、しかも曲り癖がつきにくいため、便座上に容易にセットできる。
【００１１】
また、偏平構造のベース体とこれに対向するカバーとで便座シートを挟む構造であるので、全体的に偏平構造とすることができ、狭いトイレの壁面に取り付けてもその空間を無駄に占有せず、人体への危険も少なくて済む。
【発明を実施するための最良の形態】
【００１２】
図１、図２は、本発明の実施形態の便座シート供給器（以下、端に供給器という）２０の構造を示している。
【００１３】
これらの図に示しているように、供給器２０は、トイレの壁面に固定可能な偏平構造のベース体２１を有している。
【００１４】
ベース体２１は、例えば金属板のプレス加工により形成されており、便座シート１０の外形より僅かに大きな略５角形の外形を有する基板２２と、基板２２の縁部から立ち上がって一面側２２ａを連続して囲むように形成された側板２３とを有している。側板２３の高さは、基板２２の外形寸法に対して十分小さく且つ所定枚数（例えば１００枚）の便座シート１０を重ね合わせたときの厚さより僅かに大となるように設定されている。側板２３の前端側には、内方へ屈曲された所定幅の前縁板２４ａが連続的に設けられ、前縁板２４ａの内縁から基板２２側に屈曲された所定幅の内側板２４ｂが連続的に設けられ、さらに左右の内側板２４ｂの奥端には、内方へ屈曲した所定幅のカバーストッパ２４ｃが左右対称（図２では右側のカバーストッパ２４ｃのみを示す）に設けられている。
【００１５】
基板２２の外縁近傍には、基板２２の反対面側がトイレ等の壁面に接した状態でベース体２１をトイレ等の壁面にネジ止め固定するための複数（この例では４個）の取付穴２５が設けられている。
【００１６】
また、基板２２の一面２２ａ側の上部左右には、便座シート１０を吊支するための傾斜フック２６が設けられている。傾斜フック２６は、便座シート１０の上縁左右に予め設けられている穴１１に挿通可能な径を有し、基板２２の一面２２ａ側から前上がり、即ち基板２２の一面２２ａ側から離間する程位置が高くなるように延びている。
【００１７】
便座シート１０は、引き出し後そのままに便座に載せて使用できるように拡げられた状態で、複数枚重ね合わされた束状になっており、上縁左右の穴１１に傾斜フック２６を通過させて吊支させることにより、その一面側を基板２２の一面２１ａ側に対向させた状態でベース体２１内に収容される。
【００１８】
ベース体２１の基板２２の一面２２ａ側の下部中央には、突出部２７が形成されている。突出部２７は、左右２つの傾斜板２７ａ、２７ｂが山形を形成するように中央で交わった構造を有している。なお、この突出部２７の形状は、中央部が高くその左側および右側に傾斜部を有している形状であれば任意である。
【００１９】
ベース体２１の前面側にはカバー３０が開閉自在に設けられている。カバー３０は、ベース体２１と同等に金属板のプレス加工により形成され、ベース体２１の前縁板２４ａの内縁形の下部を切り取った外形を有する基板３０ａと、基板３０ａの下縁を除く外縁から背面側に屈曲された所定幅の側板３０ｂとを有し、側板３０ｂの右側とベース体２１の右側の内側板２４ｂとの間に取り付けられた蝶番３１を介してベース体２１に片開き方式で取り付けられている。また、カバー３０は、左右の側板３０ｂの奥端がベース体２１のカバーストッパ２４ｃに当接した状態で、基板３０ａとベース体２１の前縁板２４ａが面一となって閉じた状態となり、このときベース体２１の前面側の少なくとも下部を除く範囲を覆い、傾斜フック２６に吊支された便座シート１０の下部を露出させる。なお、カバー３０の左端には、カバー３０を閉じた状態にロックするための鍵３２が取り付けられている。
【００２０】
また、前記した突出部２７は、カバー３０に覆われていない便座シート１０の下部中央の背面側に位置している。
【００２１】
このように構成された供給器２０は、図３に示すようにベース体２１がトイレなどの壁面１に固定された状態で設置される。
【００２２】
そして、この状態で傾斜フック２６に吊支された複数枚の便座シート１０は、傾斜フック２６の傾斜に沿ってその高さが少しずつずれた状態となり、このずれにより束状のシート間に空気が入りやすくなり、シート間に生じる静電気による吸着が抑制される。
【００２３】
そして、図４の（ａ）のように、便座シート１０の下部を突出部２７の傾斜面２７ａ、２７ｂに２本の指Ｆ１、Ｆ２で押しつけることで便座シート１０の下部の中央を山形に突出させることができ、さらに図４の（ｂ）のように指Ｆ１、Ｆ２を寄せていけば、互いに重なりあった複数枚の便座シート１０から表面側の一枚目の便座シート１０だけをつまむことができ、その１枚目の便座シート１０を下方に引くことで、その便座シート１０の穴１１の上部が破れて傾斜フック２６による支持が解除され、供給器２０から引き出すことができる。
【００２４】
なお、この突出部２７を利用したシート取り出し方法を利用者に認識させるための表記をカバー３０の表面等に予め施している。
【００２５】
また、便座シート１０は偏平な供給器２０内で上部左右の２つの傾斜フック２６に吊支されているため、中央１点支持方法に比べ供給器２０内でシート両端に曲り癖がつくこともなく、湾曲していない状態で取り出すことができ、便座に容易にセットすることができる。
【００２６】
なお、便座シート１０の取り出しは、上記のように突出部２７の傾斜面２７ａ、２７ｂを利用してつまみとる方法だけでなく、供給器２０内で便座シート１０の下端位置がずれることを利用して取り出すことも可能である。
【００２７】
即ち、図５に示しているように、表面側の１枚目の便座シート１０より奥側の便座シート１０を指Ｆの先で基板２２側に押しつつ、１枚目の便座シート１０をめくりあげることで他の便座シートから容易に離すことができ、その便座シート１０を前記同様に下方に引くことで、供給器２０から引き出すことができる。
【００２８】
前記実施形態では、ベース体２１とカバー３０を金属板のプレス加工により形成していたが、合成樹脂の成形により構成してもよい。
【００２９】
また、前記実施形態では、ベース体２１の基板２２の周りに側板２３を連続的に形成していたが、ベース体２１を平板状の基板２２のみで形成し、収容する便座シート１０の厚さ以上の間隔をあけて開閉自在なカバー３０を支持する構造にしてもよい。
【００３０】
また、上記実施形態では、ベース体２１の基板２２に設けた穴２５を利用して壁面にネジ止め固定していたが、図６に示す供給器４０のように、ベース体２１′の側板２３の上部にフック２８を設け、このフック２８を壁面に設けた突起（図示せず）等に引っかけて吊支してもよい。
【００３１】
また、前記実施形態では片開き式のカバー３０を用いて、内部の便座シート１０の下部のみが露出するように覆っていたが、カバー３０の形状、材質、開閉機構は任意であり、例えば図７の供給器５０のように、ベース体２１″の上半部を覆う布製のカバー３０′を用い、その前面側をファスナー３５で開閉できるようにしてもよい。なお、この供給器５０のベース体２１″は、前記実施形態のベース体２１′の前縁板２４ａ、内側板２４ｂ、カバーストッパ２４ｃやカバー３０を省いた構造になっている。また、カバー３０、３０′が覆う範囲は、内部の便座シート１０の少なくとも下部が露出する範囲でよく、下部だけでなく中央部を露出させてもよい。
【００３２】
また、前記各実施形態では、収容する便座シート１０の外形に合わせてベース体２１の外形を略５角形にしていたが、これは本発明を限定するものでなく、四角形、長円、楕円など任意に変更可能である。
【図面の簡単な説明】
【００３３】
【図１】本発明の実施形態の外観を示す図
【図２】実施形態の内部構造を示す図
【図３】実施形態の供給器を壁面に取り付けた状態を示す概略図
【図４】便座シートの取り出し方法を説明するための図
【図５】便座シートの取り出し方法を説明するための図
【図６】壁面に取り付けるための別の構造例を示す図
【図７】カバーの変形例を示す図
【符号の説明】
【００３４】
１……壁面、１０……便座シート、１１……穴、２０、４０、５０……便座シート供給器、２１、２１′、２１″……ベース体、２２……基板、２３……側板、２５……取付穴、２６……傾斜フック、２７……突出部、２８……フック、３０、３０′……カバー、３１……蝶番、３２……鍵、３５……ファスナー
【図１】
2007143944.tif 000003
【図２】
2007143944.tif 000004
【図３】
2007143944.tif 000005
【図４】
2007143944.tif 000006
【図５】
2007143944.tif 000007
【図６】
2007143944.tif 000008
【図７】
2007143944.tif 000009